【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
非静止衛星と通信している第1のユーザ端末(UT)を含む第1の地上局における第1の信号の送信の時間および無線周波数を制御する方法であって、前記非静止衛星がさらにゲートウェイと通信しており、前記方法が、
ローカルの時間基準および受信された信号または前記非静止衛星のエフェメリスに基づいて、予備修正時間値を計算するステップと、
前記第1の地上局において前記第1の信号の送信の前記時間を調整するために、前記予備修正時間値を適用するステップと、
ローカルの周波数基準および前記受信された信号または前記非静止衛星のエフェメリスに基づいて、予備修正周波数値を計算するステップと、
前記第1の地上局において前記第1の信号の前記無線周波数を調整するために、前記予備修正周波数値を適用するステップとを備え、
前記予備修正時間値が、前記非静止衛星および/または前記ゲートウェイにおける前記第1の信号の到来時間(TOA)と、前記非静止衛星および/または前記ゲートウェイにおける1つまたは複数の他のUTからの1つまたは複数の他の信号の1つまたは複数のTOAとの間の、TOA差異を減らすように構成され、
前記予備修正周波数値が、前記非静止衛星および/または前記ゲートウェイにおける前記第1の信号の無線周波数と、前記非静止衛星および/または前記ゲートウェイにおける前記1つまたは複数の他のUTからの前記1つまたは複数の他の信号の1つまたは複数の無線周波数との間の、周波数オフセット差異を減らすように構成され、または、
これらの任意の組合せである、方法。
【請求項２】
前記非静止衛星が前記1つまたは複数の他のUTのうちの少なくとも第2のUTと通信するように動作可能であり、前記第2のUTが前記非静止衛星に第2の信号を送信するように動作可能である、請求項1に記載の方法。
【請求項３】
前記ゲートウェイが、前記非静止衛星を通じて前記第1のUTから前記第1の信号を受信し前記第2のUTから前記第2の信号を受信するように動作可能である、請求項2に記載の方法。
【請求項４】
前記第1のUTにおける前記第1の信号の送信の前記時間が、前記ゲートウェイにおける前記第1の信号のTOAと前記第2の信号のTOAとの間の前記TOA差異を減らすように調整され、前記第1のUTにおける前記第1の信号の前記無線周波数が、前記ゲートウェイにおける前記第1の信号のドップラーシフトと前記第2の信号のドップラーシフトとの間の差を減らすように調整される、請求項3に記載の方法。
【請求項５】
前記第2のUTにおける前記第2の信号の送信の時間が、前記ゲートウェイにおける前記第1の信号のTOAと前記第2の信号のTOAとの間の前記TOA差異を減らすように調整され、前記第2のUTにおける前記第2の信号の無線周波数が、前記ゲートウェイにおける前記第1の信号のドップラーシフトと前記第2の信号のドップラーシフトとの間の差を減らすように調整される、請求項3に記載の方法。
【請求項６】
前記ゲートウェイにおける前記第1の信号のTOAと前記第2の信号のTOAとの間の前記TOA差異を減らすために、前記ゲートウェイから、前記第1のUTにおける前記第1の信号の送信の前記時間を進めるための、または遅らせるための少なくとも1つのコマンドを受信するステップと、
前記ゲートウェイにおける前記第1の信号のドップラーシフトと前記第2の信号のドップラーシフトとの間の差を減らすために、前記ゲートウェイから、前記第1のUTにおける前記第1の信号の前記無線周波数を上げるための、または下げるための少なくとも1つの追加のコマンドを受信するステップとをさらに備える、請求項3に記載の方法。
【請求項７】
前記第1のUTにおける前記第1の信号の送信の前記時間が、前記非静止衛星における前記第1の信号のTOAと前記第2の信号のTOAとの間の前記TOA差異を減らすように調整され、前記第2のUTにおける前記第2の信号の前記無線周波数が、前記非静止衛星における前記第1の信号のドップラーシフトと前記第2の信号のドップラーシフトとの間の差を減らすように調整される、請求項2に記載の方法。
【請求項８】
前記第2のUTにおける前記第2の信号の送信の時間が、前記非静止衛星における前記第1の信号のTOAと前記第2の信号のTOAとの間の前記TOA差異を減らすように調整され、前記第1のUTにおける前記第2の信号の無線周波数が、前記非静止衛星における前記第1の信号のドップラーシフトと前記第2の信号のドップラーシフトとの間の差を減らすように調整される、請求項2に記載の方法。
【請求項９】
前記非静止衛星における前記第1の信号のTOAと前記第2の信号のTOAとの間の前記TOA差異を減らすために、衛星から、前記第1のUTにおける前記第1の信号の送信の前記時間を進めるための、または遅らせるための少なくとも1つのコマンドを受信するステップと、
前記非静止衛星における前記第1の信号のドップラーシフトと前記第2の信号のドップラーシフトとの間の差を減らすために、前記衛星から、前記第1のUTにおける前記第1の信号の前記無線周波数を上げるための、または下げるための少なくとも1つの追加のコマンドを受信するステップとをさらに備える、請求項2に記載の方法。
【請求項１０】
非静止衛星と通信している第1のユーザ端末(UT)を含む第1の地上局における第1の信号の送信の時間および無線周波数を制御するための装置であって、前記非静止衛星がさらにゲートウェイと通信しており、前記装置が、
ローカルの時間基準および受信された信号または前記非静止衛星のエフェメリスに基づいて、予備修正時間値を計算するための手段と、
前記第1の地上局において前記第1の信号の送信の前記時間を調整するために、前記予備修正時間値を適用するための手段と、
ローカルの周波数基準および前記受信された信号または前記非静止衛星のエフェメリスに基づいて、予備修正周波数値を計算するための手段と、
前記第1の地上局において前記第1の信号の前記無線周波数を調整するために、前記予備修正周波数値を適用するための手段とを備え、
前記予備修正時間値が、前記非静止衛星および/または前記ゲートウェイにおける前記第1の信号の到来時間(TOA)と、前記非静止衛星および/または前記ゲートウェイにおける1つまたは複数の他のUTからの1つまたは複数の他の信号の1つまたは複数のTOAとの間の、TOA差異を減らすように構成され、
前記予備修正周波数値が、前記非静止衛星および/または前記ゲートウェイにおける前記第1の信号の無線周波数と、前記非静止衛星および/または前記ゲートウェイにおける前記1つまたは複数の他のUTからの前記1つまたは複数の他の信号の1つまたは複数の無線周波数との間の、周波数オフセット差異を減らすように構成され、または、
これらの任意の組合せである、装置。
【請求項１１】
前記非静止衛星が前記1つまたは複数の他のUTのうちの少なくとも第2のUTと通信するように動作可能であり、前記第2のUTが前記非静止衛星に第2の信号を送信するように動作可能である、請求項10に記載の装置。
【請求項１２】
前記ゲートウェイが、前記非静止衛星を通じて前記第1のUTから前記第1の信号を受信し前記第2のUTから前記第2の信号を受信するように動作可能である、請求項11に記載の装置。
【請求項１３】
前記第1のUTにおける前記第1の信号の送信の前記時間が、前記ゲートウェイにおける前記第1の信号のTOAと前記第2の信号のTOAとの間の前記TOA差異を減らすように調整され、前記第1のUTにおける前記第1の信号の前記無線周波数が、前記ゲートウェイにおける前記第1の信号のドップラーシフトと前記第2の信号のドップラーシフトとの間の差を減らすように調整される、請求項12に記載の装置。
【請求項１４】
前記第1のUTにおける前記第1の信号の送信の前記時間が、前記非静止衛星における前記第1の信号のTOAと前記第2の信号のTOAとの間の前記TOA差異を減らすように調整され、前記第2のUTにおける前記第2の信号の前記無線周波数が、前記非静止衛星における前記第1の信号のドップラーシフトと前記第2の信号のドップラーシフトとの間の差を減らすように調整される、請求項11に記載の装置。
【請求項１５】
コンピュータまたはプロセッサに、非静止衛星と通信している第1のユーザ端末(UT)を含む第1の地上局における第1の信号の送信の時間および無線周波数を制御させる命令を備えるコンピュータ可読記憶媒体であって、前記非静止衛星がさらにゲートウェイと通信しており、前記命令が、
ローカルの時間基準および受信された信号または前記非静止衛星のエフェメリスに基づいて、予備修正時間値を計算し、
前記第1の地上局において前記第1の信号の送信の前記時間を調整するために、前記予備修正時間値を適用し、
ローカルの周波数基準および前記受信された信号または前記非静止衛星のエフェメリスに基づいて、予備修正周波数値を計算し、
前記第1の地上局において前記第1の信号の前記無線周波数を調整するために、前記予備修正周波数値を適用するための命令を備え、
前記予備修正時間値が、前記非静止衛星および/または前記ゲートウェイにおける前記第1の信号の到来時間(TOA)と、前記非静止衛星および/または前記ゲートウェイにおける1つまたは複数の他のUTからの1つまたは複数の他の信号の1つまたは複数のTOAとの間の、TOA差異を減らすように構成され、
前記予備修正周波数値が、前記非静止衛星および/または前記ゲートウェイにおける前記第1の信号の無線周波数と、前記非静止衛星および/または前記ゲートウェイにおける前記1つまたは複数の他のUTからの前記1つまたは複数の他の信号の1つまたは複数の無線周波数との間の、周波数オフセット差異を減らすように構成され、または、
これらの任意の組合せである、コンピュータ可読記憶媒体。